(57)【要約】【課題】環境上悪影響を与えず且つ、メンテナンスが容易で人件費、設備費、維持費等コストが安価であり、しかも水生生物の処理時にも配水を停止する必要のない水生生物除去装置を提供する。【解決手段】プラントの冷却水の取水管１における中途部に水生生物排出管２を接続し、水生生物排出管２に水生生物裁断手段３を設ける。【選択図】        図１
2004353293.tif 000002
【特許請求の範囲】
【請求項１】
プラントの冷却水の取水管における中途部に水生生物排出管を接続し、該水生生物排出管に水生生物裁断手段を設けたことを特徴とする水生生物除去装置。
【請求項２】
取水管と水生生物排出管の接続部に、水生生物が水と共に円滑に水生生物排出管に導入されるよう、案内手段を設けた請求項１記載の水生生物除去装置。
【請求項３】
案内手段は、水生生物排出管の入口部における水流れ方向下流側に取水管内に位置するよう配置された仕切り板と、該仕切り板の水流れ方向上流側に水生生物排出管の入口部に位置するよう配置された螺旋状の案内羽根を備えた請求項２記載の水生生物除去装置。
【請求項４】
仕切り板を、水生生物排出管側で水流れ方向下流側に位置し、取水管中心側で水流れ方向上流側に位置するよう傾斜させた請求項１又は２記載の水生生物除去装置。
【請求項５】
仕切り板の取水管中心側先端部に、水生生物が冷却水と共にプラント側へ送給されるのを防止するためのフィルタ手段を設けた請求項３又は４記載の水生生物除去装置。
【請求項６】
フィルタ手段を仕切り板側で水流れ方向下流側に位置し、仕切り板から離反した側で水流れ方向上流側に位置するよう傾斜させた請求項５記載の水生生物除去装置。
【発明の詳細な説明】
【０００１】
【発明の属する技術分野】
本発明は水生生物除去装置に関する。
【０００２】
【従来の技術】
火力発電所や原子力発電所における冷却水の取水口には、クラゲ（水クラゲ）等の水生生物が異常発生することがある。而して、水生生物によって取水口が閉塞されると、冷却水を確保できなくなり、プラントが運転停止に追い込まれる。
【０００３】
水生生物が大量発生した場合の従来の対策としては、▲１▼塩素等の除去用の薬品を水中に散布して水生生物を殺傷し除去する方法、▲２▼ひしゃく等を用いて人海戦術によりすくいあげる方法、▲３▼大規模なネットを張り捕獲する方法、▲４▼水流で押し戻す方法、▲５▼取水口近傍の海域に複数のノズルを配設して該ノズルから高圧水を海水中に噴射し、キャビテーションを伴う水噴流を発生させ、クラゲの嫌う高周波ノイズを海水中に放射する方法（特許文献１）、▲６▼取水用の配管内に水ジェット用ノズルを設け、該ノズルに水ジェットを吹き込むことにより発生するキャビテーション超音波を水生生物に照射する方法（特許文献２）等がある。
【０００４】
【特許文献１】
特開２０００−２９０９６６号公報
【特許文献２】
特開２０００−５４３３９号公報
【０００５】
【発明が解決しようとする課題】
上述の各方法のうち、▲１▼の方法は、環境影響上問題があり、▲２▼、▲３▼、▲４▼に示す方法は、膨大な人件費、維持費が必要であり、▲５▼に示す方法は、海中にノズル設置用の櫓形の架台を設けることが必要となるため、設備が大規模となって設備費が高価となり、且つノズルや水中カメラ等、機器のメンテナンスが難しく、▲６▼に示す方法は、ノズルを配管内に設置しているため、ノズルのメンテナンス時には配管の配水を停止しなければならず、又、メンテナンスも困難である。
【０００６】
本発明は、上述の実情に鑑み、環境上悪影響を与えず且つ、メンテナンスが容易で人件費、設備費、維持費等コストが安価であり、しかも水生生物の処理時にも配水を停止する必要のない水生生物除去装置を提供することを目的としてなしたものである。
【０００７】
【課題を解決するための手段】
請求項１の水生生物除去装置は、プラントの冷却水の取水管における中途部に水生生物排出管を接続し、該水生生物排出管に水生生物裁断手段を設けたものである。
【０００８】
請求項２の水生生物除去装置は、取水管と水生生物排出管の接続部に、水生生物が水と共に円滑に水生生物排出管に導入されるよう、案内手段を設けたものである。
【０００９】
請求項３の水生生物除去装置においては、案内手段は、水生生物排出管の入口部における水流れ方向下流側に取水管内に位置するよう配置された仕切り板と、該仕切り板の水流れ方向上流側に水生生物排出管の入口部に位置するよう配置された螺旋状の案内羽根を備えている。
【００１０】
請求項４の水生生物除去装置においては、仕切り板を、水生生物排出管側で水流れ方向下流側に位置し、取水管中心側で水流れ方向上流側に位置するよう傾斜させている。
【００１１】
請求項５の水生生物除去装置においては、仕切り板の取水管中心側先端側に、水生生物が冷却水と共にプラント側へ送給されるのを防止するためのフィルタ手段を設けている。
【００１２】
請求項６の水生生物除去装置においては、フィルタ手段を仕切り板側で水流れ方向下流側に位置し、仕切り板から離反した側で水流れ方向上流側に位置するよう傾斜させている。
【００１３】
本発明の請求項１〜６記載の水生生物除去装置によれば、薬品を使用していないため、環境に悪影響を与えることはなく、且つ、簡単な機器を設けているだけであるため、メンテナンスが容易で人件費、設備費、維持費等のコストが安価であり、しかも水生生物の裁断時に取水管からプラントへの配水を停止する必要がなく、又請求項６記載の水生生物除去装置では、フィルタ手段は水生生物の水生生物排出管への案内手段としても機能することができ、水生生物の水生生物排出管への送給をより一層円滑に行うことができる。
【００１４】
【発明の実施の形態】
以下、本発明の実施の形態を添付図面を参照して説明する。
図１、図２は本発明の水生生物除去装置の実施の形態の第一例であって、図中、１は海水等の水Ｗを冷却水として取水してプラントへ送給するための取水管、２は取水管１の長手方向中途部に接続された水生生物排出管であり、水生生物排出管２には、水流れ方向上流側から下流側へ向けて、水生生物裁断手段３及びポンプ等の送給手段４並びにフィルタ手段５が接続されている。水生生物裁断手段３は例えば櫛歯状のもので、水Ｗと共に通過するクラゲ等の水生生物８を裁断し得るようになっている。
【００１５】
水生生物排出管２の取水管１に対する接続部に形成された入口部には、取水管１内に位置するようにした仕切り板６が設置されている。仕切り板６の水生生物排出管２側端部は、側面視で、水生生物排出管２における入口部の水流れ方向下流側端部近傍に接続され、仕切り板６の取水管１中心側端部は、仕切り板６の水生生物排出管２側端部よりも水流れ方向上流側に位置している。而して、仕切り板６は、側面視で、水生生物排出管２の水流れ方向下流側端部から水流れ方向上流側に向けて傾斜した状態に配置されており、仕切り板６と取水管１の水生生物排出管２に対する水流れ方向上流側接続部近傍の部分とは協働して、水流れ方向上流側へ向けて拡がった形状の案内部７を形成している。
【００１６】
案内部７内には、取水管１内を水Ｗと共に送給されてきた水生生物８を案内して円滑に且つ流速を上げて水生生物排出管２内に送給し得るよう、螺旋状の案内羽根９が設置されている。而して、仕切り板６及び案内羽根９により案内手段が形成されている。
【００１７】
又、取水管１内には、一端が仕切り板６の取水管１中心側端部に位置し、他端が取水管１の水生生物排出管２接続側とは反対側に位置する、網状のフィルタ手段１０が、取水管１の軸心に対して直交するよう設置されている。
【００１８】
次に、上記図示例の作動を説明する。
取水されて取水管１内を送給される水Ｗに同伴されている水生生物８は、フィルタ手段１０により遮られるため、フィルタ手段１０を通って取水管１からプラント側へ送給されることはない。従って、水生生物８は案内部７の案内羽根９により案内されて一部の水Ｗと共に水生生物排出管２へ導入され、水生生物裁断手段３を通過する際に裁断される。裁断された水生生物８は送給手段４から下流側へ送給され、フィルタ手段５を通って下流へ排出される。フィルタ手段５では異物が除去される。
【００１９】
フィルタ手段１０を通過した水Ｗは更に取水管１内を送給されて冷却水としてプラントへ導入される。
【００２０】
本図示例では、薬品を使用していないため、環境に悪影響を与えることはなく、且つ、簡単な機器を設けているだけであるため、メンテナンスが容易で人件費、設備費、維持費等のコストが安価であり、しかも水生生物の裁断時に取水管１からプラントへの配水を停止する必要がない。
【００２１】
図３は本発明の水生生物除去装置の実施の形態の第二例であって、本図示例では、フィルタ手段５を水生生物裁断手段３よりも水流れ方向上流側に位置するよう、水生生物排出管２に設けている。斯かる構成とすると、上記作用効果に加え、フィルタ手段５では水生生物裁断手段３により裁断できない大きさの異物を除去することができ、水生生物裁断手段３での水生生物８の裁断を前記図示例の場合よりもより一層円滑に行うことができる。
【００２２】
図４は本発明の水生生物除去装置の実施の形態の第三例であって、本図示例では、フィルタ手段５を送給手段４よりも水流れ方向上流側に位置するよう、又、水生生物裁断手段３を送給手段４よりも水流れ方向下流側に位置するよう、水生生物排出管２に設けている。斯かる構成としても、前述の各形態例と同様の作用効果を奏することができる。
【００２３】
図５は本発明の水生生物除去装置に適用するフィルタ手段１０の配置状態の他の例で、本図示例においては、フィルタ手段１０は仕切り板６の延長面と略同一の面に配置されており、傾斜している。斯かる構成とすると、上述の図示例における作用効果に加えて、フィルタ手段１０は水生生物８の案内部７への案内手段としても機能することができ、水生生物８の水生生物排出管２への送給をより一層円滑に行うことができる。
【００２４】
なお、本発明の水生生物除去装置においては、水生生物がクラゲの場合について説明したが、クラゲに限らず、小魚等にも適用することができること、その他、本発明の要旨を逸脱しない範囲内において種々変更を加え得ることは勿論である。
【００２５】
【発明の効果】
以上、説明したように本発明の請求項１〜６記載の水生生物除去装置によれば、薬品を使用していないため、環境に悪影響を与えることはなく、且つ、簡単な機器を設けているだけであるため、メンテナンスが容易で人件費、設備費、維持費等のコストが安価であり、しかも水生生物の裁断時に取水管からプラントへの配水を停止する必要がなく、又、請求項６記載の水生生物除去装置では、フィルタ手段は水生生物の水生生物排出管への案内手段としても機能することができ、水生生物の水生生物排出管への送給をより一層円滑に行うことができる、等種々の優れた効果を奏し得る。
【図面の簡単な説明】
【図１】本発明の水生生物除去装置の実施の形態の第一例の概要図である。
【図２】図１のＩＩ部拡大図である。
【図３】本発明の水生生物除去装置の実施の形態の第二例の概要図である。
【図４】本発明の水生生物除去装置の実施の形態の第三例の概要図である。
【図５】本発明の水生生物除去装置に適用するフィルタ手段の配置状態の他の例で、図１のＩＩ部拡大図に相当する図である。
【符号の説明】
１    取水管
２    水生生物排出管
３    水生生物裁断手段
６    仕切り板（案内手段）
８    水生生物
９    案内羽根（案内手段）
１０    フィルタ手段
Ｗ    水
【図１】
2004353293.tif 000003
【図２】
2004353293.tif 000004
【図３】
2004353293.tif 000005
【図４】
2004353293.tif 000006
【図５】
2004353293.tif 000007